(57)【要約】      （修正有）【課題】少ない部品点数により構成し易く、且つ、内部空間が収容される物品よりも過大な大きさをなしたものであっても当該物品を好適に収容し得る構成を有した箱体を提供する。【解決手段】箱体Ａは、直方体をなす箱体本体１と、この箱体本体１の内部における上下方向中間部に配設された略水平姿勢をなす仕切板２とを備えている。そして、仕切板２の左側端縁２ｅａが、箱体本体１の底壁１１における右側端縁から上方に延設された第一の支持板３の上端縁に接続したものであり、仕切板２の右側端縁２ｅｂが、上下方向に延びてなり下端縁４１ｅが箱体本体１の底壁１１の内面に当接し得る第二の支持板４に接続したものとなっている。【選択図】図１
0003225163.tif 000002
【実用新案登録請求の範囲】
【請求項１】
一枚のシートを折り曲げて形成され、外部から物品を視認可能に収容し得る箱体であって、
直方体をなす箱体本体と、この箱体本体の内部における上下方向中間部に配設された略水平姿勢をなす仕切板とを備え、当該仕切板によって前記箱体本体の内部に物品を収容し得る上の物品収容空間及び下の物品収容空間が形成されたものであり、
前記箱体本体が、底壁と、この底壁の前端部に立設された前壁と、前記底壁の後端部に立設された後壁と、前記底壁における左右の側端部に立設された左右の側壁と、これら左右の側壁の上端部間に配された天壁とを備えてなり、
前記仕切板の一端縁が、前記底壁における一方の側端縁から上方に延設された第一の支持板の上端縁に接続したものであり、
前記仕切板の他端縁が、上下方向に延びてなり下端縁が前記底壁の内面に当接し得る第二の支持板に接続したものである箱体。
【請求項２】
前記第二の支持板の上下方向中間部に前記仕切板の前記他端縁が接続されたものであり、
前記第二の支持板が、前記他端縁よりも下に位置する下部分と、前記他端縁よりも上に位置する上部分とを備えたものであり、
前記下部分の前記下端縁が前記底壁の内面に当接し得るものである請求項１記載の箱体。
【考案の詳細な説明】
【技術分野】
【０００１】
本考案は、種々の物品を収容し得る箱体に関する。
【背景技術】
【０００２】
従来から、物品を収容し得る収容空間を有し、外部から物品を視認可能に収容し得る箱体が知られている。
【０００３】
基本的に、製品等の物品が収容される箱体は、その収容空間が収容される物品の大きさに略合致するように寸法設定されているのが通常である（例えば、特許文献１を参照）。
【０００４】
その一方で、収容される物品が小さすぎるような場合には、視認性やボリューム感を高めたり収容作業時や搬送時における効率性や柔軟性を向上させたりする目的で、当該物品よりも過大な外形の箱体を用いて当該物品を収容することが行われている。
【０００５】
収容される物品に対して過大な外形をなす箱体は、その収容空間の大きさも過大なものとなる。従来は、箱体とは別体をなす紙製又はプラスチック製の物品保持部材を用いて、収容された物品を箱体内において動きにくいように保持させていた。
【０００６】
つまり、従来のこの種の箱体は、箱体のみならず、箱体とは別体をなす保持部材を必要としていたため、部品点数を減少させるのに限界が生ずるものとなっていた。
【先行技術文献】
【特許文献】
【０００７】
【特許文献１】実開昭６２−０７２７７５号公報
【考案の概要】
【考案が解決しようとする課題】
【０００８】
本考案は、以上のような事情に着目してなされたものであり、少ない部品点数により構成し易く、且つ、内部空間が収容される物品よりも過大な大きさをなしたものであっても当該物品を好適に収容し得る構成を有した箱体を提供することにある。
【課題を解決するための手段】
【０００９】
すなわち、本考案は次の構成をなしている。
【００１０】
請求項１に記載の考案は、一枚のシートを折り曲げて形成され、外部から物品を視認可能に収容し得る箱体であって、直方体をなす箱体本体と、この箱体本体の内部における上下方向中間部に配設された略水平姿勢をなす仕切板とを備え、当該仕切板によって前記箱体本体の内部に物品を収容し得る上の物品収容空間及び下の物品収容空間が形成されたものであり、前記箱体本体が、底壁と、この底壁の前端部に立設された前壁と、前記底壁の後端部に立設された後壁と、前記底壁における左右の側端部に立設された左右の側壁と、これら左右の側壁の上端部間に配された天壁とを備えてなり、前記仕切板の一端縁が、前記底壁における一方の側端縁から上方に延設された第一の支持板の上端縁に接続したものであり、前記仕切板の他端縁が、上下方向に延びてなり下端縁が前記底壁の内面に当接し得る第二の支持板に接続したものである箱体である。
【００１１】
請求項２に記載の考案は、前記第二の支持板の上下方向中間部に前記仕切板の前記他端縁が接続されたものであり、前記第二の支持板が、前記他端縁よりも下に位置する下部分と、前記他端縁よりも上に位置する上部分とを備えたものであり、前記下部分の前記下端縁が前記底壁の内面に当接し得るものである請求項１記載の箱体である。
【考案の効果】
【００１２】
以上説明したように本考案によれば、少ない部品点数により構成し易く、且つ、内部空間が収容される物品よりも過大な大きさをなしたものであっても当該物品を好適に収容し得る構成を有した箱体を提供することができる。
【図面の簡単な説明】
【００１３】
【図１】本考案の一実施形態を示す斜視図。
【図２】同実施形態における斜視図。
【図３】同実施形態における斜視図。
【図４】同実施形態における平面図。
【図５】図４におけるＸ−Ｘ線断面図。
【図６】同実施形態の展開図。
【考案を実施するための形態】
【００１４】
以下、本考案の一実施形態を、図１〜６を参照して説明する。
【００１５】
この実施形態は、本考案を、物品である化粧容器Ｂ（アイシャドウクリームを収容した平面視円形状の化粧容器）を収容し得る箱体Ａに適用したものである。化粧容器Ｂは、箱体Ａに形成された上の物品収容空間Ｓ１に収容されるように構成されている。
【００１６】
箱体Ａは、図６に示すように、一枚のシートＣを予め設定された所定の折り線部分で折り曲げるとともに所定の部位同士を組み合わせたり接着したりすることにより形成されるものである。
【００１７】
一枚のシートＣは、合成樹脂により作られた透明又は半透明のものである。一枚のシートＣから作られた箱体Ａは、外部から化粧容器Ｂを視認可能に収容し得るものとなっている。
【００１８】
箱体Ａは、直方体をなす箱体本体１と、箱体本体１の内部における上下方向中間部に配設された略水平姿勢をなす仕切板２とを備えている。箱体Ａは、仕切板２を設けることによって箱体本体１の内部に物品である化粧容器Ｂを収容し得る上の物品収容空間Ｓ１と、必要な場合に説明書等の物品を収容し得る下の物品収容空間Ｓ２が形成されている。換言すれば、箱体本体１の内部空間は、水平板状をなす仕切板２により上下に仕切られることにより、仕切板２の上側に上の物品収容空間Ｓ１が形成されるとともに仕切板２の下に下の物品収容空間Ｓ２が形成されたものとなっている。なお、下の物品収容空間Ｓ２には物品を収容しなくてもよい。
【００１９】
箱体本体１は、直方体をなしたものであり、略矩形状をなす底壁１１と、底壁１１の前端部に立設された前壁１２と、底壁１１の後端部に立設された後壁１３と、底壁１１における左右の側端部に立設された左右の側壁１４、１５と、左右の側壁１４、１５の上端部間に配された天壁１６を備えたものである。
【００２０】
一枚のシートＣにより構成された箱体本体１に関する連設構造をより具体的に説明すれば次の通りである。
【００２１】
すなわち、箱体本体１は、底壁１１と、底壁１１の右側端縁から連設された右の側壁１５と、右の側壁１５の上端縁から連設された天壁１６と、天壁１６の前端縁から連設された前壁１２と、天壁１６の後端縁から連設された後壁１３と、天壁１６の左側端縁から連設された左の側壁１４とを備えている。
【００２２】
前壁１２は、下端部に補助片Ｊが連設されており、これら前壁１２及び補助片Ｊが協働して、箱体本体１の内部空間を開閉可能な蓋体として機能し得るものとなっている。後壁１３は、前壁１２と同様に下端部に補助片Ｊが連設されており、これら後壁１３及び補助片Ｊが協働して、箱体本体１の内部空間を開閉可能な蓋体として機能し得るものとなっている。また、左右の側壁１４、１５における各前端縁及び後端縁には補強片Ｋが連設されており、箱体本体１の形状を安定させている。
【００２３】
仕切板２は、箱体本体１を形成する六面すなわち底壁１１、前壁１２、後壁１３、左右の側壁１４、１５、及び、天壁１６により囲まれた内部空間を上下に仕切るものである。仕切板２の前後方向の寸法は、底壁１１における前後方向の寸法よりも若干短く設定されている。仕切板２の右部には、後述する第二の支持板４の下部分４１を形成するためのコ字状のスリットｓｌが設けられている。
【００２４】
仕切板２の一端縁である左側端縁２ｅａは、底壁１１における一方の側端縁である左側端縁ｅ１１から上方に延設された第一の支持板３の上端縁に接続している。第一の支持板３は、上辺が下辺よりも短く設定された略台形状をなしている。第一の支持板３の外面は、接着剤を介して、左の側壁１４の内面に接着されている。
【００２５】
仕切板２の他端縁である右側端縁２ｅｂは、上下方向に延びてなり下端縁４１ｅが底壁１１の内面に当接し得る第二の支持板４に接続している。すなわち、箱体Ａは、第二の支持板４の上下方向中間部に、仕切板２の右側端縁２ｅｂが接続されたものとなっている。
【００２６】
第二の支持板４は、仕切板２の右側端縁２ｅｂよりも下に位置する下部分４１と、仕切板２の右側端縁２ｅｂよりも上に位置する上部分４２とを備えており、全体として凸を上下逆転したような形状をなしている。
【００２７】
下部分４１は、上部分４２よりも横幅が狭い板状のものである。下部分４１の上下寸法は、第一の支持板３の上下寸法と略同じ寸法に設定されている。下部分４１は、上部分４２における幅方向中央部から下方に突出したものとなっている。
【００２８】
上部分４２は、下部分４１よりも横幅が広い板状のものである。上部分４２における下部分４１と連続していない一対の下端縁４２ｋは、仕切板２の右側端縁２ｅｂに接続するようになっている。
【００２９】
第二の支持板４は、下部分４１の下端縁４１ｅが底壁１１の内面に当接し得るとともに上部分４２の上端縁４２ｅが天壁１６の内面から僅かに離れる上下寸法に設定されている。
【００３０】
以上に詳述した通り、本実施形態に係る箱体Ａは、一枚のシートＣを折り曲げて形成され、外部から物品たる化粧容器Ｂを視認可能に収容し得るものである。そして、箱体Ａは、直方体をなす箱体本体１と、箱体本体１の内部における上下方向中間部に配設された略水平姿勢をなす仕切板２とを備えている。箱体本体１は、仕切板２によって、内部に物品たる化粧容器Ｂを収容し得る上の物品収容空間Ｓ１及び下の物品収容空間Ｓ２が形成されたものである。
【００３１】
さらに、箱体本体１は、底壁１１と、この底壁１１の前端部に立設された前壁１２と、底壁１１の後端部に立設された後壁１３と、底壁１１における左右の側端部に立設された左右の側壁１４、１５と、これら左右の側壁１４、１５の上端部間に配された天壁１６とを備え、仕切板２の一端縁たる左側端縁２ｅａが、底壁１１における一方の側端縁たる左側端縁ｅ１１から上方に延設された第一の支持板３の上端縁に接続したものであり、仕切板２の他端縁たる右側端縁２ｅｂが、上下方向に延びてなり下端縁４１ｅが底壁１１の内面に当接し得る第二の支持板４に接続したものである。
【００３２】
このため、少ない部品点数すなわち一枚のシートＣにより構成し易く、且つ、箱体本体１により形成される内部空間が収容される物品たる化粧容器Ｂよりも過大な大きさをなしたものであっても仕切板２により特定の物品収容空間すなわち上の物品収容空間Ｓ１を形成することにより当該化粧容器Ｂを好適に収容し得る構成を有した箱体Ａを提供することができる。これにより、仕切板２により下支持された化粧容器Ｂは、その上面が天壁１６の内面に対して適切に接し得るものとなる。このため、箱体Ａは、収容された化粧容器Ｂを購入者等に対して見栄えよく収容し得るものとなっている。
【００３３】
第二の支持板４の上下方向中間部に仕切板２の他端縁たる右側端縁２ｅｂが接続されたものであり、第二の支持板４が、仕切板２の右側端縁２ｅｂよりも下に位置する下部分４１と、仕切板２の右側端縁２ｅｂよりも上に位置する上部分４２とを備えたものであり、下部分４１の下端縁４１ｅが底壁１１の内面に当接し得るものである。
【００３４】
このため、仕切板２が箱体本体１の内部において安定した姿勢を採り得るものとなっている。
【００３５】
なお、本考案は、以上に詳述した実施形態に限られるものではない。
【００３６】
上の物品収容空間や下の物品収容空間に収容される物品はどのようなものであってもよい。また、各物品収容空間に、必ずしも物品を収容しなくてもよいのはもちろんである。
【００３７】
箱体本体の形態である直方体とは、立方体を含む概念であることは言うまでもない。
【００３８】
その他、各部の具体的構成についても上記実施形態に限られるものではなく、本考案の趣旨を逸脱しない範囲で種々変形が可能である。
【符号の説明】
【００３９】
Ａ…箱体
１…箱体本体
２…仕切板
３…第一の仕切板
４…第二の仕切板
【図１】
0003225163.tif 000003
【図２】
0003225163.tif 000004
【図３】
0003225163.tif 000005
【図４】
0003225163.tif 000006
【図５】
0003225163.tif 000007
【図６】
0003225163.tif 000008